(57)【特許請求の範囲】
【請求項１】
上階と下階とを有する建物内に設けられた換気ユニット本体で複数の部屋の換気を行うセントラル換気装置であって、
屋外の空気を前記換気ユニット本体に導入する外気導入路と、前記上階と下階との間に設けられ、前記換気ユニット本体に導入された外気を建物内部に供給する単一の外気供給路と、この外気供給路の外気供給口から離れた位置で建物内部の空気を前記換気ユニット本体に回収する単一の内気回収路と、前記換気ユニット本体に回収された空気を屋外に排出する内気排出路とを有し、
前記外気供給口は、平面視で前記建物のほぼ中央かつ、前記建物内の階段室に連通する廊下において下階の天井裏に１箇所設けられ、
前記複数の部屋はそれぞれ前記外気供給路の外気供給口が位置する空間に連通可能とされ、
前記内気回収路の内気回収口は、平面視で前記建物の外縁に位置する部屋のうちの１つに１箇所のみ設けられ、
前記複数の部屋のうち前記内気回収路の内気回収口が設けられた部屋を除く全ての部屋に部屋内の空気を屋外に排出可能な個別排出路を備えている
ことを特徴とするセントラル換気装置。
【請求項２】
請求項１に記載のセントラル換気装置において、前記内気回収路の内気回収口は、浴室、トイレ、洗面所、キッチン、リビングのうちのいずれかに設けられていることを特徴とするセントラル換気装置。
【発明の詳細な説明】
【０００１】
【発明の属する技術分野】
本発明は、建物内部の複数の部屋を換気するセントラル換気装置に関する。
【０００２】
【背景技術】
図７は、従来のセントラル換気装置が適用された建物の概略模式図を示すものである。
従来のセントラル換気装置１００は、１階の天井部分に大型の換気ユニット本体１１０を１台設置して、建物の全てのフロアの部屋内の空気を換気するものであった。
すなわち、セントラル換気装置１００は、１階の天井部分すなわち２階の床部分に設置された強制的に空気の流れを形成する１台の大型の換気ユニット本体１１０と、建物の外部の新鮮な空気を部屋内に取り入れるために建物の外部から換気ユニット本体１１０に連通する外気導入配管１２０と、この外気導入配管１２０から導入された空気を換気ユニット本体１１０を介して建物の部屋内に供給する外気供給配管１３０，１５０，１４０とを備えている。
【０００３】
外気供給配管１３０，１５０，１４０は、１階の各部屋に空気を供給するための１階用外気供給配管１３０と、２階の各部屋に空気を供給するための２階用外気供給配管１４０と、この２階用外気供給配管１４０と１階用外気供給配管１３０とを連結する縦配管１５０とから構成されている。
また、セントラル換気装置１００は、部屋内の空気を換気ユニット本体１１０に回収するために１階天井の略中央から換気ユニット本体１１０に向かって通ずる１本の内気回収配管１６０と、この内気回収配管１６０により部屋内から回収された空気を屋外に排出するために屋外と換気ユニット本体１１０との間に通ずる内気排出配管１７０とを備えている。
【０００４】
このようなセントラル換気装置１００によれば、屋外の新鮮な空気が、建物内の各部屋内に吹き出して、各部屋内を通って建物１階の略中央から回収されるので、風量が少なくとも、各部屋内の隅々までくまなく換気ができるという効果がある。
【０００５】
しかし、上記した従来のセントラル換気装置１００は、１階と２階との配管の間を連結するための縦方向に延びる縦配管１５０を形成しなければならなかった。このため、建物の内部に縦配管１５０を建物内部に通すための配管スペースを必要とし、居住空間がその分だけ狭くなるという問題があった。
【０００６】
この問題を解決するために、複数のフロアを有する建物の各フロア毎に独立して換気ユニット本体を設置し、各換気ユニット本体により、当該建物の同一フロアの換気をするようにしたセントラル換気装置（特開平１０−１６０２２６号公報等参照）が利用できる。
このようなセントラル換気装置によれば、１階と２階との配管の間を連結するための縦方向に延びる縦配管が不要となるので、建物の内部に縦配管を挿通させるための配管スペースを設ける必要がなくなり、配管スペースにより居住空間が狭くなるといった問題が生じない。
【０００７】
【発明が解決しようとする課題】
しかしながら、上述したセントラル換気装置では、各部屋から各換気ユニット本体に通ずる配管を設けなければならないため、天井裏に設ける配管の総延長が長くなってしまい、設置コストが増大していた。
【０００８】
本発明の目的は、低コストで外気と内気との間で換気を行うセントラル換気装置を提供することにある。
【０００９】
【課題を解決するための手段】
上記目的を達成するため、本発明のセントラル換気装置は、次の構成を採用する。
本発明を図面を参照して説明すると、請求項１に記載のセントラル換気装置１０は、上階と下階とを有する建物１内に設けられた換気ユニット本体２０で複数の部屋の換気を行うセントラル換気装置であって、屋外の空気を前記換気ユニット本体に導入する外気導入路３０と、前記上階と下階との間に設けられ、前記換気ユニット本体に導入された外気を建物内部に供給する単一の外気供給路４０と、この外気供給路の外気供給口から離れた位置で建物内部の空気を前記換気ユニット本体に回収する単一の内気回収路６０と、前記換気ユニット本体に回収された内気を屋外に排出する内気排出路５０とを有し、前記外気供給口は、平面視で前記建物のほぼ中央かつ、前記建物内の階段室に連通する廊下において下階の天井裏に１箇所設けられ、前記複数の部屋はそれぞれ前記外気供給路の外気供給口が位置する空間に連通可能とされ、前記内気回収路の内気回収口は、平面視で前記建物の外縁に位置する部屋のうちの１つに１箇所のみ設けられ、前記複数の部屋のうち前記内気回収路の内気回収口が設けられた部屋を除く全ての部屋に部屋内の空気を屋外に排出可能な個別排出路７０を備えていることを特徴とする。
【００１０】
なお、ここで、「外気導入路、外気供給路、内気回収路および内気排出路」とは、所定長さを有する管で構成されたものに限らず、開口のみで構成された管を有しないものも含まれる。
また、「単一の」とは、実質的に単一の意であり、その全長に亘って１本の管で構成されるものに限らず、部屋内側端部近傍で枝分かれすることにより、１つの部屋に複数の端部開口が設けられているものや、複数の部屋に各々端部開口が設けられているものも含まれる。
また、「外気供給路の外気供給口から離れた位置」とは、同一の部屋内における離れた位置でもよく、また、外気供給路の外気供給口が設けられた部屋と異なる部屋であってもよい。
【００１１】
この発明によれば、屋外の新鮮な空気は、外気導入路を通じて換気ユニット本体に導入された後、外気供給路を通じて建物内部に供給される。一方、建物内部の空気は、その一部が単一の内気回収路を通じて換気ユニット本体に回収されるとともに、回収されなかった残りの空気は、個別排出路を通じて屋外に排出される。
よって、外気供給路から供給された屋外の新鮮な空気は、建物内の各部屋に流れ込んだ後、内気回収路または個別排気路に吸い込まれて排出されるから、風量が少なくとも、各部屋内の隅々までくまなく換気ができる。また、個別排出路によって各部屋内の空気を個別に排出できるから、各部屋から換気ユニット本体までのダクトを省略でき、セントラル換気装置の設置コストを低減できる。
【００１２】
この発明によれば、個別排出路を内気回収路の内気回収口が設けられた部屋を除く全ての換気対象となる部屋に設けたので、内気回収路または個別排出路によって部屋内の空気が確実に排出されるから、換気対象となる全ての部屋を確実に換気できる。
【００１８】
ここで、共用空間とは、原則としては、複数の部屋に連通する空間を意味し、例えば、廊下、階段等が挙げられるが、大きなリビング、ダイニング等の居室も含まれる。
そして、この発明によれば、外気供給路の外気供給口を建物内の共用空間に設けたので、共用空間に空気を供給することにより、この空気が共用空間に連通する各部屋に容易に流れ込んで換気できるから、セントラル換気装置の運転効率を向上でき、快適な居住空間を容易に実現できる。
【００１９】
請求項２に記載のセントラル換気装置は、請求項１に記載のセントラル換気装置において、内気回収路の内気回収口６１は、浴室１Ｅ、トイレ１Ｆ、洗面所１Ｄ、キッチン１Ｂ、リビング１Ａのうちのいずれかに設けられていることを特徴とする。
この発明によれば、内気回収路の内気回収口を、浴室、トイレ、洗面所、キッチン、リビングのうちのいずれか、すなわち、湯気の発生や居住者の呼気等により湿度が高い場所に設けたので、内気回収路を通じて回収される空気の量を調節することによって高湿度な空間を容易に換気して、快適な居住空間を実現できる。
【００２４】
【発明の実施の形態】
以下、本発明の実施の一形態を図面に基づいて詳しく説明する。
図１には、本実施形態に係るセントラル換気装置１０が適用された建物としての一戸建て住宅１の断面図が示されている。
住宅１は、断熱性能および気密性能に優れた２階建の高断熱・高気密住宅であって、換気ユニット本体２０により住宅１の１階および２階の複数の部屋の換気を行うを備えている。
セントラル換気装置１０は、１階天井裏に配設され屋内または建物内部に連通する筒状の配管３０，４０，５０と、１階の天井裏に収納されて配管３０〜５０の内部における強制的な空気の流れを形成する換気ユニット本体２０とを備えている。
【００２５】
セントラル換気装置１０の配管３０〜５０は、住宅１の外部の空気を建物内部に導入するために、住宅１の屋外から換気ユニット本体２０まで延び、屋外空間と換気ユニット本体２０とを連通する外気導入路としての外気導入配管３０と、建物内部の１箇所から換気ユニット本体２０まで延び、建物内部と換気ユニット本体２０とを連通する外気供給路としての外気供給配管４０と、換気ユニット本体２０から住宅１の屋外まで延び、換気ユニット本体２０と屋外空間とを連通する内気排出路としての内気排出配管５０とを含んで構成されている。
【００２６】
また、換気ユニット本体２０の直下には天井開口６０が設けられ、この天井開口６０は、換気ユニット本体２０からその直下の天井を貫通して設けられた換気ユニット本体２０と建物内部とを連通する内気回収路とされている。天井開口６０の部屋内側には、内気回収路の内気回収口としての吸い込み口６１が形成されている。
また、１階および２階には複数の部屋が設けられ、これらの部屋は、各々外気供給配管４０の外気供給口としての吹き出し口４１に連通可能とされ、かつ、部屋内の空気を屋外に排出する個別排出路としての排気ファン７０を備えている。
【００２７】
図２には、住宅１の１階部分の平面図が示されている。
１階部分には、図中下方にリビング・ダイニングルーム１Ａが設けられ、リビング・ダイニングルーム１Ａの図中左側上方にキッチン１Ｂが設けられ、リビング・ダイニングルーム１Ａの図中右側上方に玄関１Ｃが設けられている。そして、玄関１Ｃの図中上方には、洗面所１Ｄと、浴室１Ｅとが設けられいる。キッチン１Ｂと浴室１Ｅとの間には、トイレ１Ｆが設けられ、このトイレ１Ｆからリビング・ダイニングルーム１Ａへ向かって延びる共用空間としての廊下１Ｇが設けられている。廊下１Ｇとキッチン１Ｂとの間に１階階段室１Ｈが設けられている。
【００２８】
ここで、キッチン１Ｂ、玄関１Ｃ、洗面所１Ｄ、および１階階段室１Ｈは、吹き出し口４１の設けられた廊下１Ｇに連通されている。また、リビング・ダイニングルーム１Ａおよびトイレ１Ｆは、それぞれ出入口の扉の上部あるいは下部に設けられた通気口を介して、廊下１Ｇに連通されている。浴室１Ｅは、出入口の扉の上部あるいは下部に設けられた通気口を介して、洗面所１Ｄに連通されている。
【００２９】
外気供給配管４０の外気供給口としての吹き出し口４１は、住宅１の内部に設けられた共用空間としての廊下１Ｇの天井裏に設けられている。
セントラル換気装置１０の換気ユニット本体２０は、平面視で、吹き出し口４１から離れた位置、ここでは浴室１Ｅの天井裏に設けられている。よって、吸い込み口６１は、浴室１Ｅの天井に設けられている。
リビング・ダイニングルーム１Ａ、キッチン１Ｂ、およびトイレ１Ｆには、廊下１Ｇに通じる開口または扉からできるだけ離れた位置になるように排気ファン７０が設けられている。
【００３０】
図３には、住宅１の２階部分の平面図が示されている。
２階部分には、２つの副寝室２Ａ，２Ｂが図中下方左右に並んで設けられている。副寝室２Ａ，２Ｂの図中上部には、収納空間としてのクローゼット２Ｃ，２Ｄが設けられている。クローゼット２Ｄの図中上方には、主寝室２Ｅが設けられている。この主寝室２Ｅの図中上部左側には、収納空間としてのウォークイン・クローゼット２Ｆが設けられている。ウォークイン・クローゼット２Ｆの図中下方には、納戸２Ｇが設けられ、納戸２Ｇと副寝室２Ａのクローゼット２Ｃとの間には、トイレ２Ｈが設けられ、納戸２Ｇと主寝室２Ｅとの間には、２階階段室２Ｉが設けられている。
【００３１】
ここで、２階階段室２Ｉは、１階階段室１Ｈに連通されており、副寝室２Ａ，２Ｂ、クローゼット２Ｃ，２Ｄ、主寝室２Ｅ、ウォークイン・クローゼット２Ｆ、納戸２Ｇ、およびトイレ２Ｈは、それぞれ出入口の扉の上部あるいは下部に設けられた通気口を介して、２階階段室２Ｉに連通されている。
納戸２Ｇ、およびトイレ２Ｈには、２階階段室２Ｉに通じる開口または扉からできるだけ離れた位置になるように個別排出路としての排気ファン７０が設けられている。また、クローゼット２Ｃ，２Ｄおよびウォークイン・クローゼット２Ｆにも、排気ファン７０が設けられている。
【００３２】
図４には、換気ユニット本体２０の拡大図が示されている。
換気ユニット本体２０の内部には、図示しない２台の送風機および全熱交換器が設けられている。
送風機は、電動モータと、この電動モータにより回転する多数の羽根とからなり、回転する羽根により発生する強制的な空気の流れを利用して、配管の内部の空気を強制的に移動させるものである。すなわち、外気導入配管３０から導入された空気を外気供給配管４０に向かって、あるいは、吸い込み口６１から回収された空気を内気排出配管５０に向かって強制的に移動させることができるものである。具体的には、特に図示しないが、羽根車の回転に伴って気体の遠心力を利用し、気体を圧送するターボファンと、このターボファンからの吹き出し流路を形成するケーシングとを備えているものである。
なお、２台の送風機のうちの一方は、外気を建物内部に導入する外気導入用の送風機であり、他方は、建物内部の空気を屋外に排出するための内気排出用の送風機である。
【００３３】
全熱交換器は、吸い込み口６１から吸い込まれて回収され内気排出配管５０を通じて屋外へ排出される部屋内の空気と、外気導入配管３０から導入されて吹き出し口４１から廊下１Ｇへ供給される空気との間で熱交換を行うものである。
具体的には、熱伝導率が大きな金属や樹脂等からなるストロー状の極細薄肉円筒管を多数、配列した構造を有している。屋外に排出される空気と住宅１内部に供給される空気とのいずれか一方をストロー状の円筒管の内部を通過させ、他方をその円筒管の周囲を通過させることにより、屋外に排出される空気および住宅１内部に供給される空気のうち、温度が高い方の熱が薄肉円筒管を介して温度が低い方に伝えられることとなり、熱交換が行われる。
なお、全熱交換の方式は、上述した構造に限定されることなく、熱交換機能を有するものであれば、他の構造からなるものでもよい。
【００３４】
吸い込み口６１は、天井７４に設けられた天井開口６０の下方に、天井開口６０よりも一回り寸法が大きい平板状のカバー部材６２を備えている。このカバー部材６２は、天井７４の表面よりも、若干低い高さレベルに設けられ、カバー部材６２と天井７４との間に隙間が形成されている。
カバー部材６２と天井７４との隙間から吸い込まれた空気が、天井７４に設けられた天井開口６０を通って、換気ユニット本体２０のケーシングの下面に設けられた開口２０Ａから回収されるようになっている。
【００３５】
図５には、吹き出し口４１の拡大断面図が示されている。
吹き出し口４１は、グリル４３を備え、このグリル４３は、外気供給配管４０の部屋内側の先端が接続される円筒状のグリル本体４３Ａを備えている。このグリル本体４３Ａは、上端面側が塞がれ、下端側が開口されて吹き出し口となっている。この吹き出し口は、図には示されていないが、四方に空気が吹き出すように、直径の異なる複数の環状整流羽根が同心位置に設けられたルーバー状となっている。
【００３６】
次に、本実施形態に係るセントラル換気装置１０の動作について説明する。
セントラル換気装置１０の換気ユニット本体２０の２台の送風機を駆動させると、屋外の新鮮な空気は、外気導入配管３０を通じて換気ユニット本体２０に導入された後、外気供給配管４０を通じて吹き出し口４１から建物内部に供給される（図１〜図３中黒矢印で示す）。一方、住宅１内部の空気は、その一部が天井開口６０を通じて換気ユニット本体２０に回収される（図１〜図３中白矢印で示す）。この回収される空気量は、吹き出し口４１から供給される空気量の略半分となっている。
同時に、１階の各部屋は吹き出し口４１が設けられた廊下１Ｇに連通され、２階の各部屋は２階階段室２Ｉ、１階階段室１Ｈを介して廊下１Ｇに連通されているため、回収されなかった残りの空気は、各部屋に設けられた排気ファン７０を通じて屋外に排出される（図１〜図３中黒矢印で示す）。
【００３７】
ここで、換気ユニット本体２０に回収された住宅１内部の空気は、換気ユニット本体２０の全熱交換器によって、外気導入配管３０を通じて導入された外気と熱交換を行った後、屋外に排出される。すなわち、住宅１内部を暖房した状態において、吸い込み口６１から回収された暖かい空気は、熱交換により熱が吸収され、その吸収された熱は、屋外から導入された冷たい空気に加えられる。これにより、住宅１内部には、屋外より温度が高い空気が供給されることとなる。
一方、住宅１内部を冷房した状態において、屋外から導入された暖かい空気は、熱交換により熱が吸収され、この吸収された熱は、吸い込み口６１から回収された冷たい空気に加えられる。これにより、住宅１内部には、屋外より温度が低い空気が供給されることとなる。
【００３８】
したがって、本実施形態によれば、次のような効果が得られる。
（１）吹き出し口４１から供給された屋外の新鮮な空気は、建物内の各部屋に流れ込んだ後、吸い込み口６１または排気ファン７０に吸い込まれて排出されるから、風量が少なくとも、各部屋内の隅々までくまなく換気ができる。また、排気ファン７０によって各部屋内の空気を個別に排出できるから、各部屋から換気ユニット本体２０までのダクトを省略でき、セントラル換気装置１０の設置コストを低減できる。
【００３９】
（２）吸い込み口６１から換気ユニット本体２０に回収された住宅１内部の空気と、外気導入配管３０を通じて導入された外気との間で熱交換を行うことにより、適切な温度に調節された空気を建物内に供給できるから、快適な居住空間を実現できる。
【００４０】
（３）換気ユニット本体２０を住宅１の１階に設けたので、吹き出し口４１から供給された空気は、住宅１内の上下空間を連通する１階階段室１Ｈおよび２階階段室２Ｉを通じて、２階にも流れ込み、各部屋において個別に排気される。よって、各フロア毎に換気ユニット本体を設置する必要がないので、セントラル換気装置１０の設置コストや運転コストをさらに低減できる。
【００４１】
（４）吸い込み口６１から回収される空気量を吹き出し口４１から供給される空気量の略半分としたので、回収された空気と導入された外気との間で十分な熱交換が可能となるため、建物内部に供給する外気を適温に調節することができ、快適な居住空間を容易に実現できる。同時に、回収されなかった空気が住宅１内の各部屋に適量に流れ込んで個別に排出されるから、各部屋を十分に換気できる。
【００４２】
（５）吹き出し口４１を廊下１Ｇに設けたので、廊下１Ｇに空気を供給することにより、この空気が廊下１Ｇに連通する各部屋に容易に流れ込んで換気できるから、セントラル換気装置１０の運転効率を向上でき、快適な居住空間を容易に実現できる。
【００４３】
（６）吸い込み口６１を、浴室１Ｅ、すなわち、湯気の発生や居住者の呼気等により湿度が高い場所に設けたので、吸い込み口６１から回収される空気量を調節することにより高湿度な空間を容易に換気して、快適な居住空間を実現できる。
【００４４】
（７）排気ファン７０を吸い込み口６１が設けられた浴室１Ｅを除く全ての換気対象となる部屋に設けたので、吸い込み口６１または排気ファン７０によって部屋内の空気が確実に排出されるから、住宅１内の全ての部屋を確実に換気できる。
【００４５】
（８）換気ユニット本体２０を１階天井裏に収納したので、換気ユニット本体２０が天井裏に隠蔽され、部屋内から見えないため、部屋の内観を良好にできる。また、内気回収路を換気ユニット本体２０からその直下の天井を貫通して設けたので、内気回収路をダクト等で形成した場合に比べ、内気回収路の長さを短くできるから、セントラル換気装置１０の設置コストをさらに低減できる。
【００４６】
（９）排気ファン７０を収納空間としてのクローゼット２Ｃ，２Ｄおよびウォークイン・クローゼット２Ｆに設けたので、これら収納空間内の換気を十分に行うことができ、収納空間内部における結露、カビの発生を防止できる。また、クローゼット２Ｃ，２Ｄおよびウォークイン・クローゼット２Ｆ内の収納物や防虫剤等の臭気が副寝室２Ａ，２Ｂおよび主寝室２Ｅに漏出するのを防止できるから、快適な居住空間を実現できる。
【００４７】
なお、本発明は前記実施形態に限定されるものではなく、本発明の目的を達成できる範囲での変形、改良等は本発明に含まれるものである。
例えば、本実施形態では、建物を２階建の住宅１としたが、これに限らず、三階以上のフロア数を有するものでもよく、また、住宅に限らず、事務所用や店舗用に建築された建物等でもよい。
また、本実施形態では、セントラル換気装置１０を住宅１の１階天井裏に設けたが、これに限らず、２階天井裏に設けてもよく、また、各階の天井裏に設けてもよい。
【００４８】
また、本実施形態では、換気ユニット本体２０内に２台の送風機を設けたが、これに限らず、１台の送風機を設けてもよく、また、３台以上の送風機を設けてもよく、換気ユニット本体２０の具体的な構成は、実施にあたり適宜選択することができる。
【００４９】
また、本実施形態では、吹き出し口４１を廊下１Ｇに設けたが、これに限らず、１階階段室１Ｈやリビング・ダイニングルーム１Ａ等に設けてもよい。
また、本実施形態では、吸い込み口６１を浴室１Ｅに設けたが、これに限らず、トイレ１Ｆ、洗面所１Ｄ、キッチン１Ｂ、リビング・ダイニングルーム１Ａ等に設けてもよい。
【００５０】
また、本実施形態では、換気ユニット本体２０の直下の天井開口６０を内気回収路とし、建物内部と換気ユニット本体２０とを連通する外気供給路としての外気供給配管４０を設けたが、これに限らず、図６に示すように、換気ユニット本体２０の直下の天井開口４２を外気供給路とし、建物内部と換気ユニット本体２０とを連通する内気回収路としての内気回収配管６２を設けてもよい。
【００５１】
また、本実施形態では、換気ユニット本体２０の直下に天井開口６０を設け、この天井開口６０を内気回収路としたが、これに限らず、換気ユニット本体を天井面から露出させ、内気回収路を省略してもよい。
このようにしても、上述した(１)〜(７)、(９)の効果に加え、以下のような効果がある。
（１０）内気回収路を省略したので、内気回収路を換気ユニット本体２０からその直下の天井を貫通して設けた場合に比べ、内気回収路の長さをさらに短くできるから、セントラル換気装置１０の設置コストをさらに低減できる。
【００５２】
【発明の効果】
本発明のセントラル換気装置によれば、次のような効果が得られる。
請求項１に記載のセントラル換気装置によれば、外気供給路から供給された屋外の新鮮な空気は、建物内の各部屋に流れ込んだ後、内気回収路または個別排気路に吸い込まれて排出されるから、風量が少なくとも、各部屋内の隅々までくまなく換気ができる。また、個別排出路によって各部屋内の空気を個別に排出できるから、各部屋から換気ユニット本体までのダクトを省略でき、セントラル換気装置の設置コストを低減できる。
【００５３】
そして、内気回収路または個別排出路によって部屋内の空気が確実に排出されるから、換気対象となる全ての部屋を確実に換気できる。
【００５６】
また、共用空間に空気を供給することにより、この空気が共用空間に連通する各部屋に容易に流れ込んで換気できるから、セントラル換気装置の運転効率を向上でき、快適な居住空間を容易に実現できる。
【図面の簡単な説明】
【図１】本発明の一実施形態に係るセントラル換気装置が適用された建物を示す断面図である。
【図２】前記実施形態に係る建物の１階部分の平面図である。
【図３】前記実施形態に係る建物の２階部分の平面図である。
【図４】前記実施形態に係る換気ユニット本体の拡大図である。
【図５】前記実施形態に係る外気供給路の外気供給口の拡大断面図である。
【図６】変形例に係るセントラル換気装置が適用された建物を示す断面図である。
【図７】従来例に係るセントラル換気装置が適用された建物を示す概略模式図である。
【符号の説明】
１        建物としての住宅
１Ａ      リビング・ダイニングルーム
１Ｂ      キッチン
１Ｄ      洗面所
１Ｅ      浴室
１Ｆ      トイレ
１Ｇ      共用空間としての廊下
２Ｃ，２Ｄ      収納空間としてのクローゼット
２Ｆ            収納空間としてのウォークイン・クローゼット
１０      セントラル換気装置
２０      換気ユニット本体
３０      外気導入路としての外気導入配管
４０      外気供給路としての外気供給配管
４１      外気供給口としての吹き出し口
５０      内気排出路としての内気排出配管
６０      内気回収路としての天井開口
６１      内気回収口としての吸い込み口
７０      個別排出路としての排気ファン
【図１】
0004934253.tif 000002
【図２】
0004934253.tif 000003
【図３】
0004934253.tif 000004
【図４】
0004934253.tif 000005
【図５】
0004934253.tif 000006
【図６】
0004934253.tif 000007
【図７】
0004934253.tif 000008